(57)【要約】【課題】  データ記録の際に光ディスクの不良を早期に発見することが可能な光ディスク装置およびデータ記録方法を提供する。【解決手段】  光ディスク装置１０は、光ディスクＤにレーザ光を照射して光ディスクＤにデータを記録し、かつ、光ディスクＤにレーザ光を照射して光ディスクＤからデータを読み取るピックアップユニット１１と、光ディスクＤへのデータ記録時のエラーおよび光ディスクＤに記録されたデータのエラーの少なくともいずれか一方を検出するエラー検出部５０と、ピックアップユニット１１を制御して、光ディスクＤの第１の領域にデータを記録する前に、第１の領域と比べて欠陥の生じる可能性の高い光ディスクＤの第２の領域にデータを記録し、かつ、第２の領域へのデータ記録におけるエラー検出部５０のエラー検出結果に基づいて光ディスクＤの良否を判定するＣＰＵ１３とを備える。【選択図】        図１
2007035100.tif 000002
【特許請求の範囲】
【請求項１】
光ディスクにレーザ光を照射して前記光ディスクにデータを記録し、かつ、前記光ディスクにレーザ光を照射して前記光ディスクからデータを読み取るピックアップユニットと、
前記光ディスクへのデータ記録時のエラーおよび前記光ディスクに記録されたデータのエラーの少なくともいずれか一方を検出するエラー検出部と、
前記ピックアップユニットを制御して、前記光ディスクの第１の領域にデータを記録する前に、前記第１の領域と比べて欠陥の生じる可能性の高い前記光ディスクの第２の領域にデータを記録し、かつ、前記第２の領域へのデータ記録における前記エラー検出部のエラー検出結果に基づいて前記光ディスクの良否を判定する制御部とを備える光ディスク装置。
【請求項２】
前記第１の領域はリードイン領域およびデータ領域の少なくともいずれか一方の領域であり、
前記第２の領域はリードアウト領域である請求項１記載の光ディスク装置。
【請求項３】
前記光ディスクは、スピンコート法で記録層が成型され、
前記第２の領域は、前記第１の領域より外側の領域である請求項１記載の光ディスク装置。
【請求項４】
前記制御部は、前記判定において良品と判定した前記光ディスクに対してのみ前記第１の領域にデータを記録する請求項１記載の光ディスク装置。
【請求項５】
前記制御部は、前記光ディスクの第１の領域にデータを記録する前に、前記第２の領域の一部であって前記第１の領域に近接する領域にデータを記録する請求項１記載の光ディスク装置。
【請求項６】
前記光ディスク装置は、ディスクアットワンスによって前記光ディスクへのデータ記録を行なう請求項１記載の光ディスク装置。
【請求項７】
光ディスクの第１の領域にデータを記録する前に、前記第１の領域と比べて欠陥の生じる可能性の高い前記光ディスクの第２の領域にデータを記録するステップと、
前記光ディスクの第２の領域へのデータ記録時のエラーおよび前記光ディスクの第２の領域に記録されたデータのエラーの少なくともいずれか一方に基づいて前記光ディスクの良否を判定するステップとを含むデータ記録方法。
【発明の詳細な説明】
【技術分野】
【０００１】
本発明は、光ディスク装置およびデータ記録方法に関し、特に、光ディスクの不良検出を行なう光ディスク装置およびデータ記録方法に関する。
【背景技術】
【０００２】
ＣＤ−Ｒ（Compact Disc-Recordable）およびＤＶＤ−Ｒ（Digital Versatile Disc-Recordable）等の追記型の光ディスクに色素からなる記録層を成型する方法として、スピンコート法およびスパッタリング法が知られている。スピンコート法は、色素を溶かした溶剤をディスクの内周部に滴下し、滴下した溶剤をディスクの高速回転による遠心力でディスク表面に均一に行き渡らせる方法である。一方、スパッタリング法は、ほぼ真空状態においてディスク上面から色素を吹き付ける方法である。ここで、スピンコート法は成型効率が高いため一般的に採用されているが、規格を満たすようにディスク表面に均一に色素を行き渡らせるためには、高度な製造技術が必要である。
【０００３】
たとえば、特許文献１には以下のような光ディスク生産用のスピンコート装置が開示されている。すなわち、中心孔を有する円盤状透明樹脂基板の中心孔部を水平に保持して固定したスピンドルと、スピンドルに載置された基板を回転させるためのモータと、基板上部から基板に色素溶液を滴下するための吐出ポンプと、ノズルと、吐出ポンプを制御する吐出制御機構と、装置の停止時間を計測するためのタイマーとで構成される。
【０００４】
また、ＤＶＤ−Ｒ等の記録媒体として、たとえば、特許文献２には以下のような記録媒体が開示されている。すなわち、記録処理に用いられるべき情報記録装置を識別するための識別情報とその記録処理における記録態様を最適化するための記録パラメータ情報とが、情報が実際に記録する前の段階で予め記録されている。
【０００５】
また、特許文献３には以下のような光ディスク装置が開示されている。すなわち、片面に複数の記録層を備える記録型光ディスクへのデータ記録、ならびに同光ディスクからのデータ再生を行なう光ディスク装置であって、外部から所定の書き込み指令のもとに転送されるデータを、光ディスクの複数の記録層に対してそれぞれ重複して書き込むよう制御する書き込み制御手段を備える。
【特許文献１】特開２００３−２７２２５７号公報
【特許文献２】特開２００２−２４５６２５号公報
【特許文献３】特開２００５−１０８２８０号公報
【発明の開示】
【発明が解決しようとする課題】
【０００６】
ここで、ＤＶＤ−Ｒ等の再生および記録が可能な光ディスク装置には、光ディスク装置で問題なく使用できるかどうかを実証済みである光ディスクの種類、たとえばメーカ名等を記して使用推奨ディスクが明記されている。しかしながら、実際には使用推奨ディスクよりも安価な光ディスクをユーザが使用する場合が多い。
【０００７】
図４（ａ）は、正常な光ディスク（未記録）の記録面を示す図である。図４（ｂ）は、外周部の一部に欠陥がある光ディスク（未記録）の記録面を示す図である。安価な光ディスクでは、スピンコート法における記録層の成型が不十分であるため、同図（ｂ）に示すように、特にディスク外周部において色素のむら等の欠陥が生じやすい。
【０００８】
図５（ａ）は、正常な光ディスク（記録済み）の記録面を示す図である。図５（ｂ）は、外周部の一部に欠陥がある光ディスク（記録済み）の記録面を示す図である。
【０００９】
同図（ａ）を参照して、光ディスクには、リードイン領域、データ領域およびリードアウト領域が形成される。より詳細には、リードイン領域は固定サイズであり、記録管理情報、すなわちディスクの種類、メーカ名、記録されているユーザデータのサイズおよびユーザデータの最終アドレス等が記録される領域である。データ領域はユーザデータが記録される領域であり、記録されるユーザデータに応じてサイズが変わる。リードアウト領域は、ピックアップユニットがデータ領域の外側にアクセスした場合に、アクセスしている領域がデータ領域の外側であることをピックアップユニットが認識できるように、アドレス等の情報およびヌルデータが記録される領域であり、サイズは１ギガバイト以下が一般的である。また、リードアウト領域はデータ領域のサイズに応じて光ディスクにおける位置が変わる領域である。
【００１０】
同図（ｂ）を参照して、光ディスクの外周部の一部に欠陥領域が存在するが、データ領域まで欠陥領域が到達していない。この場合は、光ディスクに正常にユーザデータを記録することができる。
【００１１】
図６（ａ）は、正常な光ディスク（記録済み）の記録面の他の例を示す図である。図６（ｂ）は、外周部の一部に欠陥がある光ディスク（記録済み）の記録面の他の例を示す図である。
【００１２】
同図（ａ）を参照して、ユーザデータのサイズ、すなわちデータ領域は図５と比べて大きい。同図（ｂ）を参照して、欠陥領域の大きさは図５と同様であるが、データ領域が大きいために欠陥領域がデータ領域まで到達している。この場合は、光ディスクに正常にユーザデータを記録することができない。
【００１３】
したがって、欠陥領域がデータ領域に到達している光ディスクは不良品であり、欠陥領域がデータ領域に到達していない光ディスクは不良品ではないと考えることができる。ただし、データ領域まで欠陥領域が到達していない場合であっても、リードアウト領域に欠陥領域が存在するときには、アドレス値の誤読み出し等が起こって光ディスクの回転制御が不安定になる等の不具合が生じる可能性が高くなるため、リードアウト領域にも欠陥領域が到達していない光ディスクが最も望ましい光ディスクであるといえる。
【００１４】
ところで、特許文献３記載の光ディスク装置等をパーソナルコンピュータ等に接続し、パーソナルコンピュータ等にインストールされたアプリケーションソフトを使用してユーザデータをＣＤ−ＲおよびＤＶＤ−Ｒ等の追記型の光ディスクに記録する場合、アプリケーションソフトは、一般的に、リードイン領域、データ領域およびリードアウト領域にデータを記録した後にリードイン領域の管理情報の取得およびデータ領域のデコードを行なって正常記録を検証する。
【００１５】
ここで、前述のように一般的な光ディスクではその外周部に色素のむら等の欠陥が生じる場合が多い。したがって、特許文献３記載の光ディスク装置では、光ディスクの各領域にデータを記録し、かつ、正常記録の検証を行なうまでは光ディスクの不良を発見できないため、データ記録効率が大幅に低下してしまうという問題点があった。
【００１６】
それゆえに、本発明の目的は、データ記録の際に光ディスクの不良を早期に発見することが可能な光ディスク装置およびデータ記録方法を提供することである。
【課題を解決するための手段】
【００１７】
上記課題を解決するために、この発明のある局面に係わる光ディスク装置は、光ディスクにレーザ光を照射して光ディスクにデータを記録し、かつ、光ディスクにレーザ光を照射して光ディスクからデータを読み取るピックアップユニットと、光ディスクへのデータ記録時のエラーおよび光ディスクに記録されたデータのエラーの少なくともいずれか一方を検出するエラー検出部と、ピックアップユニットを制御して、光ディスクの第１の領域にデータを記録する前に、第１の領域と比べて欠陥の生じる可能性の高い光ディスクの第２の領域にデータを記録し、かつ、第２の領域へのデータ記録におけるエラー検出部のエラー検出結果に基づいて光ディスクの良否を判定する制御部とを備える。
【００１８】
好ましくは、第１の領域はリードイン領域およびデータ領域の少なくともいずれか一方の領域であり、第２の領域はリードアウト領域である。
【００１９】
好ましくは、光ディスクは、スピンコート法で記録層が成型され、第２の領域は、第１の領域より外側の領域である。
【００２０】
好ましくは、制御部は、判定において良品と判定した光ディスクに対してのみ第１の領域にデータを記録する。
【００２１】
好ましくは、制御部は、光ディスクの第１の領域にデータを記録する前に、第２の領域の一部であって第１の領域に近接する領域にデータを記録する。
【００２２】
好ましくは、光ディスク装置は、ディスクアットワンスによって光ディスクへのデータ記録を行なう。
【００２３】
上記課題を解決するために、この発明のある局面に係わるデータ記録方法は、光ディスクの第１の領域にデータを記録する前に、第１の領域と比べて欠陥の生じる可能性の高い光ディスクの第２の領域にデータを記録するステップと、光ディスクの第２の領域へのデータ記録時のエラーおよび光ディスクの第２の領域に記録されたデータのエラーの少なくともいずれか一方に基づいて光ディスクの良否を判定するステップとを含む。
【発明の効果】
【００２４】
本発明によれば、データ記録の際に光ディスクの不良を早期に発見することができる。
【発明を実施するための最良の形態】
【００２５】
以下、本発明の実施の形態について図面を用いて説明する。
［構成および基本動作］
図１は、本発明の実施の形態に係る光ディスク装置の構成を示す機能ブロック図である。
【００２６】
同図を参照して、光ディスク装置１０は、ピックアップユニット１１と、スピンドルモータ１２と、ＣＰＵ（Central Processing Unit）（制御部）１３と、メモリ１３ａと、サーボ回路１４と、信号処理回路１５と、インターフェース（Ｉ／Ｆ）回路１６と、スレッドモータ１７と、ホール素子１８と、キャッシュメモリ１９とを備える。
【００２７】
ピックアップユニット１１およびスピンドルモータ１２は、装着される光ディスク（Ｄ）の位置に対応して配置される。
【００２８】
ＣＰＵ１３は、メモリ１３ａに格納された各種制御プログラム、および図示しないパーソナルコンピュータ（ＰＣ）からＩ／Ｆ回路１６を介して伝達される指令等に基づいて光ディスク装置１０の各部を制御することにより、装着された光ディスクへのデータ記録および光ディスクからのデータの読み出し等を行なう。
【００２９】
サーボ回路１４と、信号処理回路１５とは、詳細は後述するが、光ディスクへのデータ記録時のエラーおよび光ディスクに記録されたデータのエラーを検出するエラー検出部５０を構成する。
【００３０】
サーボ回路１４は、ＣＰＵ１３からの指令に基づいてピックアップユニット１１、スピンドルモータ１２およびスレッドモータ１７の駆動を制御する。より詳細には、ピックアップユニット１１が行なうフォーカスサーボおよびトラッキングサーボ、ならびにスピンドルモータ１２およびスレッドモータ１７が行なう回転速度制御等が、サーボ回路１４の制御に基づいて実行される。
【００３１】
ピックアップユニット１１は、図示しないレーザ光出力部、対物レンズおよびディスクからの反射光を受光するフォトディテクタ等の光学系を含む。ピックアップユニット１１は、装着された光ディスクの記録面にレーザ光を照射することにより、光ディスクの記録面からデータを読み取るとともに、光ディスクの記録面に対してデータを記録する。なお、光学系は各種ディスクに応じて設けられている。
【００３２】
スレッドモータ１７は、ピックアップユニット１１を光ディスクの径方向に移動させる。
【００３３】
ホール素子１８は、スレッドモータ１７の回転角度を表わすパルス信号をＣＰＵ１３に出力する。そして、ＣＰＵ１３は、ホール素子１８から受けたパルス信号をカウントすることにより、ピックアップユニット１１の径方向における位置を検出する。
【００３４】
信号処理回路１５は、ＣＰＵ１３からの指令に基づいて光ディスクにデータ記録を行なう際には、Ｉ／Ｆ回路１６を介してＰＣから転送されるデータに対し、たとえば使用するディスク仕様に応じたエンコード処理および変調処理を施す。そして、信号処理回路１５は、エンコード処理および変調処理されたデータをキャッシュメモリ１９に格納する。
【００３５】
そして、ＣＰＵ１３は、キャッシュメモリ１９に所定量のデータが格納されると、ピックアップユニット１１におけるレーザ光の出力レベルを調整し、ピックアップユニット１１を制御して光ディスクの記録面にデータを書き込んで記録する。
【００３６】
一方、信号処理回路１５は、ＣＰＵ１３からの指令に基づいて光ディスクの記録面に記録されたデータの再生を行なう際には、ピックアップユニット１１によって光ディスクの記録面から読み取られるデータに対し、使用するディスク仕様に応じた復調処理およびデコード処理を施す。そして、信号処理回路１５は、復調処理およびデコード処理されたデータをキャッシュメモリ１９に格納する。
【００３７】
そして、ＣＰＵ１３は、キャッシュメモリ１９に格納された復調処理およびデコード処理されたデータをＩ／Ｆ回路１６を介してＰＣに転送する等の処理を実行する。
【００３８】
［動作］
図２は、本発明の実施の形態に係る光ディスク装置がディスクチェック処理を実行する際の動作手順を定めたフローチャートである。ＣＰＵ１３と、サーボ回路１４と、信号処理回路１５とは、フローチャートの各ステップを備えるプログラムをメモリ１３ａから読み出して実行する。このプログラムは、たとえば、製品出荷時において光ディスク装置１０のメモリ１３ａ（フラッシュメモリ等）にあらかじめインストールされているか、あるいは製品出荷後に図２に示すフローチャートの各ステップを実行する機能が追加修正されたプログラムが外部からメモリ１３ａにインストールされること等によって光ディスク装置１０に実装される。
【００３９】
ここでは、本発明の実施の形態に係る光ディスク装置およびＰＣを使用して、ディスクアットワンスによる光ディスクへのデータ記録を行なう場合について説明する。ここで、ディスクアットワンスとは、未記録の光ディスクにリードイン領域およびデータ領域を記録した後に、継続してリードアウト領域を記録する、すなわちファイナライズするデータ記録方法である。また、ＰＣには光ディスク記録用のアプリケーションソフトがインストールされていると仮定して説明する。
【００４０】
ユーザがアプリケーションソフトを立ち上げてディスクアットワンスによるデータ記録を開始すると、ディスクチェック領域へのデータ記録指令等を表わすディスクチェックコマンドがＰＣから光ディスク装置１０へ送信される。ここで、ディスクチェック領域はリードアウト領域の一部であり、また、ディスクチェックコマンドには、ディスクチェック領域の先頭アドレス値としてリードアウト領域の先頭アドレス値が含まれている。
【００４１】
なお、ディスクチェック領域はリードアウト領域の全部であってもよいが、リードアウト領域の一部とすることにより、ディスクチェック処理の迅速化を図ることができる。
【００４２】
また、ディスクチェック領域の先頭アドレスは、リードアウト領域の特定のアドレスには限定されないが、リードアウト領域の先頭アドレスと一致させてデータ領域に近接する部分をチェック対象とすることにより、データ領域に欠陥領域が到達しているか否かをより正確に検出することができる。
【００４３】
さらに、ディスクチェック領域の先頭アドレスをリードアウト領域の先頭アドレスと一致させることにより、データ領域を記録した後にリードアウト領域を記録する際の書き込み制御を簡易化することができる。これは、ディスクチェック領域がリードアウト領域の途中に存在すると、データの上書きを防止するために、ディスクチェック処理終了後の通常のデータ記録においてリードアウト領域の記録開始および終了を２回行なう必要があるが、ディスクチェック領域の先頭アドレスをリードアウト領域の先頭アドレスと一致させることにより、ディスクチェック領域の最終アドレスからリードアウト領域の記録を開始して、リードアウト領域の最終アドレスまで連続して記録を行なうことができるからである。
【００４４】
ここで、データの上書きを防止するのは、光ディスクにおいてデータの上書きが行なわれると、光ディスクのピット（窪み）がぼけて（劣化して）アドレス値の誤読み出し等が起こり、サーボ回路１４が行なう光ディスクの回転制御が不安定になる等の不具合が生じるからである。
【００４５】
図２を参照して、光ディスク装置１０におけるＣＰＵ１３は、Ｉ／Ｆ回路１６を介してＰＣからディスクチェックコマンドを受信する（Ｓ１）。
【００４６】
次に、ＣＰＵ１３は、ディスクチェックコマンドに含まれるリードアウト領域の先頭アドレスから、リードアウト領域の先頭アドレスに対応する半径値、すなわち光ディスクにおける径方向の位置を算出する。さらに、ＣＰＵ１３は、算出した径方向の位置から光ディスクを１回転分以上データ記録するのに必要な長さを算出し、ディスクチェック領域の最終アドレス値を算出する（Ｓ２）。
【００４７】
次に、ＣＰＵ１３は、ピックアップユニット１１におけるレーザ光の出力レベルを調整し（Ｓ３）、ピックアップユニット１１を制御して光ディスクのディスクチェック領域にデータを書き込んで記録する（Ｓ４）。ここで、ディスクチェック領域に書き込まれるデータは、リードアウト領域に書き込んでも光ディスク装置１０が誤動作しないデータであればどんなものでもよいが、リードアウト領域に通常書き込まれるデータと同じデータである構成は、光ディスク装置１０のデータ記録処理の簡易化を図ることができるため、好ましい構成である。
【００４８】
サーボ回路１４は、ピックアップユニット１１が光ディスクから読み取った信号に基づいて回転制御用のクロックを生成するが、光ディスクに欠陥がある等の原因でクロックが生成できない場合には、ライトエラーが発生したことをＣＰＵ１３へ通知する（Ｓ５でＹＥＳ）。
【００４９】
ＣＰＵ１３は、ライトエラーが発生せずにディスクチェック領域の記録が終了した場合には（Ｓ５でＮＯ）、ピックアップユニット１１を制御して光ディスクにおけるディスクチェック領域のデータの読み取りを行なう。そして、ＣＰＵ１３は、信号処理回路１５を制御して、ピックアップユニット１１によって光ディスクの記録面から読み取られたデータに対し、使用するディスク仕様に応じた復調処理およびデコード処理を施す（Ｓ６）。
【００５０】
信号処理回路１５は、デコード処理において、ピックアップユニット１１によって読み取られたデータに誤りが検出された場合には、リードエラーが発生したことをＣＰＵ１３へ通知する（Ｓ７でＹＥＳ）。
【００５１】
一方、ＣＰＵ１３は、リードエラーが発生せずにディスクチェック領域から読み出したデータのデコード処理が終了した場合には（Ｓ７でＮＯ）、保持している変数であるディスクチェック実施フラグをセットする。また、ＣＰＵ１３は、ディスクチェック領域の最終アドレスを保存する（Ｓ８）。
【００５２】
そして、ＣＰＵ１３は、光ディスクが不良品でないことを表わすディスクチェック完了通知をＩ／Ｆ回路１６を介してＰＣへ送信する。そして、アプリケーションソフトは、光ディスクが不良品でないことをディスプレイに表示してユーザに知らせる（Ｓ９）。
【００５３】
そして、アプリケーションソフトは光ディスクに対して通常のデータ記録を開始する。より詳細には、通常のデータ記録を開始する指令を表わすコマンドおよびユーザデータ等がＰＣから光ディスク装置１０に送信される。そして、光ディスク装置１０は、光ディスクのリードイン領域、データ領域およびリードアウト領域にデータを記録する（Ｓ１０）。
【００５４】
なお、ステップＳ９において、ユーザデータが事前にＰＣから光ディスク装置１０へ送信されている場合には、ＣＰＵ１３は、光ディスクが不良品でないと認識すると自動的に通常のデータ記録を開始する構成とすることができる。
【００５５】
一方、ＣＰＵ１３は、ライトエラーまたはリードエラーが発生した場合には、データ領域に欠陥領域が到達している可能性が高いため、光ディスクが不良品であることを表わすディスクチェック完了通知をＩ／Ｆ回路１６を介してＰＣへ送信する。そして、アプリケーションソフトは、光ディスクが不良品であることをディスプレイに表示してユーザに知らせる（Ｓ１１）。そして、ユーザはデータ記録を中止して光ディスク装置１０に装着されている光ディスクを他の光ディスクに交換し、アプリケーションソフトを立ち上げて再びディスクアットワンスによるデータ記録を開始する。
【００５６】
図３は、本発明の実施の形態に係る光ディスク装置がファイナライズを実行する際の動作手順を定めたフローチャートである。ＣＰＵ１３と、サーボ回路１４と、信号処理回路１５とは、フローチャートの各ステップを備えるプログラムをメモリ１３ａから読み出して実行する。このプログラムは、製品出荷時において光ディスク装置１０のメモリ１３ａ（フラッシュメモリ等）にあらかじめインストールされているか、あるいは製品出荷後に図３に示すフローチャートの各ステップを実行する機能が追加修正されたプログラムが外部からメモリ１３ａにインストールされること等によって光ディスク装置１０に実装される。
【００５７】
ユーザがアプリケーションソフトを立ち上げてディスクアットワンスの記録を開始し、リードイン領域の記録およびデータ領域の記録が光ディスク装置１０によって行なわれた後、ＰＣからファイナライズコマンドが光ディスク装置１０へ送信される。光ディスク装置１０におけるＣＰＵ１３は、Ｉ／Ｆ回路１６を介してＰＣからファイナライズコマンドを受信する（Ｓ２１）。
【００５８】
ＣＰＵ１３は、ディスクチェック実施フラグがセットされている場合には（Ｓ２２でＹＥＳ）、保存しているディスクチェック領域の最終アドレスの次のアドレスからリードアウト領域へのデータ記録を行なう（Ｓ２３）。
【００５９】
一方、ＣＰＵ１３は、ディスクチェック実施フラグがセットされていない場合には（Ｓ２２でＮＯ）、データ領域の最終アドレスの次のアドレス、すなわちリードアウト領域の先頭アドレスからリードアウト領域へのデータ記録を行なう（Ｓ２４）。
【００６０】
ところで、特許文献３記載の光ディスク装置では、光ディスクの各領域にデータを記録し、かつ、正常記録の検証を行なうまでは光ディスクの不良を発見できないため、データ記録効率が大幅に低下してしまうという問題点があった。しかしながら、本発明の実施の形態に係る光ディスク装置では、ＣＰＵ１３は、ＰＣからディスクチェックコマンドを受信すると、光ディスクのディスクチェック領域にデータを書き込んで記録する。そして、ＣＰＵ１３は、ライトエラーまたはリードエラーが発生した場合には、光ディスクが不良品であることを表わすディスクチェック完了通知をＩ／Ｆ回路１６を介してＰＣへ送信する。そして、アプリケーションソフトは、光ディスクが不良品であることをディスプレイに表示してユーザに知らせる。
【００６１】
つまり、本発明の実施の形態に係る光ディスク装置では、光ディスクのリードイン領域およびデータ領域にデータ記録を行なう前にリードアウト領域の少なくとも一部にデータ記録を行なって光ディスクの良否を判定する、言い換えれば、他の領域と比べて欠陥の生じる可能性の高い領域の少なくとも一部に最初にデータ記録を行なって光ディスクの良否を判定する。このような構成により、データ記録の際に光ディスクの不良を早期に発見することができ、それによって光ディスクへのデータ記録を効率的に行なうことができる。
【００６２】
ここで、本発明は、未記録の光ディスクにリードイン領域およびデータ領域を記録した後に、継続してリードアウト領域を記録するディスクアットワンスが行なわれる場合に特に効果が大きい。これは、ディスクアットワンスでは、光ディスクに一度に記録されるユーザデータ量が多いため、光ディスクへのデータ記録および正常記録の検証に要する時間が長くなり、光ディスクの不良によるデータ記録効率の低下の度合いが大きいからである。
【００６３】
なお、本発明は、インクリメンタル記録、すなわち数回の異なる書き込み動作（たとえば異なる時刻に異なる光ディスク装置）でデータを記録する場合にも適用することが可能である。インクリメンタル記録では、光ディスクに対する最終的なデータ記録、すなわちファイナライズまで行なう場合のデータ記録時に本発明を適用することができる。
【００６４】
また、本発明の実施の形態に係る光ディスク装置では、ＣＰＵ１３は、ディスクチェックフラグがセットされている場合には、ディスクチェック領域の最終アドレスの次のアドレスからリードアウト領域用のデータを記録する。このような構成により、リードアウト領域の上書きを防ぎ、サーボ回路１４が行なう光ディスクの回転制御が不安定になることを防ぐことができる。
【００６５】
［変形例］
本発明は、上記実施の形態に限定されるものではなく、たとえば以下の変形例も含まれる。
【００６６】
（１）  リードイン領域およびデータ領域
本発明の実施の形態に係る光ディスク装置では、光ディスクのリードイン領域およびデータ領域にデータ記録を行なう前にリードアウト領域の少なくとも一部にデータ記録を行なって光ディスクの良否を判定する構成としたが、これに限定するものではない。リードイン領域およびデータ領域の少なくともいずれか一方の領域にデータ記録を行なう前にリードアウト領域の少なくとも一部にデータ記録を行なって光ディスクの良否を判定する構成とすることができる。このような構成でも、データ記録の際に光ディスクの不良を早期に発見するという本発明の目的を達成することができる。
【００６７】
（２）  パーソナルコンピュータ
本発明の実施の形態では、パーソナルコンピュータにインストールされたアプリケーションソフトが、光ディスクのリードイン領域およびデータ領域に対するデータ記録が行われる前にディスクチェックコマンドを光ディスク装置１０へ送信し、また、光ディスクの良否をユーザに知らせる構成としたが、これに限定するものではない。光ディスク装置１０におけるＣＰＵ１３が、メモリ１３ａに格納されたアプリケーションソフトのプログラムを読み出して上記の動作を行なう構成とすることができる。
【００６８】
（３）  リードアウト領域へのデータ記録
本発明の実施の形態に係る光ディスク装置では、ユーザがアプリケーションソフトを立ち上げて光ディスクへのデータ記録を開始すると、まず、ディスクチェック処理が行なわれ、次にリードイン領域およびデータ領域の記録が行なわれた後、リードアウト領域の記録が行なわれる構成としたが、これに限定するものではない。ＣＰＵ１３が、光ディスクが不良品でないことを表わすディスクチェック完了通知をＩ／Ｆ回路１６を介してＰＣへ送信するとともに、ピックアップユニット１１を制御してディスクチェック領域の最終アドレスの次のアドレスからリードアウト領域の最終アドレスまでのデータ記録を継続して行ない、その後リードイン領域およびデータ領域の記録を行なう構成とすることも可能である。
【００６９】
（４）  光ディスク
本発明の適用対象となる光ディスクとしては、ＣＤ−ＲおよびＤＶＤ−Ｒ等の追記型の光ディスクに限定されるものではなく、ＣＤ−ＲＷ（Compact Disc-Rewritable)、ＤＶＤ−ＲＡＭ（Digital Versatile Disc-Random Access Memory）等の書き換え可能型の光ディスクも適用対象となる。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】本発明の実施の形態に係る光ディスク装置の構成を示す機能ブロック図である。
【図２】本発明の実施の形態に係る光ディスク装置がディスクチェック処理を実行する際の動作手順を定めたフローチャートである。
【図３】本発明の実施の形態に係る光ディスク装置がファイナライズを実行する際の動作手順を定めたフローチャートである。
【図４】（ａ）正常な光ディスク（未記録）の記録面を示す図である。（ｂ）外周部の一部に欠陥がある光ディスク（未記録）の記録面を示す図である。
【図５】（ａ）正常な光ディスク（記録済み）の記録面を示す図である。（ｂ）外周部の一部に欠陥がある光ディスク（記録済み）の記録面を示す図である。
【図６】（ａ）正常な光ディスク（記録済み）の記録面の他の例を示す図である。（ｂ）外周部の一部に欠陥がある光ディスク（記録済み）の記録面の他の例を示す図である。
【符号の説明】
【００７２】
１０  光ディスク装置、１１  ピックアップユニット、１２  スピンドルモータ、１３  ＣＰＵ（制御部）、１３ａ  メモリ、１４  サーボ回路、１５  信号処理回路、１６  インターフェース（Ｉ／Ｆ）回路、１７  スレッドモータ、１８  ホール素子、１９  キャッシュメモリ、５０  エラー検出部、Ｄ  光ディスク。
【図１】
2007035100.tif 000003
【図２】
2007035100.tif 000004
【図３】
2007035100.tif 000005
【図４】
2007035100.tif 000006
【図５】
2007035100.tif 000007
【図６】
2007035100.tif 000008